Podtech/llm-jp-corpus-v4-ja_patent huggingface dataset:
【手続補正書】
【提出日】平成27年8月19日(2015.8.19)
【手続補正１】
【補正対象書類名】特許請求の範囲
【補正対象項目名】全文
【補正方法】変更
【補正の内容】
【特許請求の範囲】
【請求項１】
液体を噴射するノズル開口が開口する液体噴射面と、該液体噴射面上に設けられて当該液体噴射面を前記ノズル開口を露出させた状態で覆うカバーヘッドと、を具備する液体噴射ヘッドのメンテナンス方法であって、
前記液体噴射面に摺接可能に設けられて弾性部材からなる第１部材を保持すると共に、前記液体噴射面の面方向に移動可能に設けられた保持部材に、液体吸収材からなる第２部材を着脱可能に保持させて、前記保持部材を前記液体噴射面の面方向に移動させることで、前記第２部材を前記カバーヘッドに摺接させて、当該第２部材で前記カバーヘッドをワイピングすることを特徴とする液体噴射ヘッドのメンテナンス方法。
【請求項２】
前記第１部材が前記保持部材に着脱可能に保持されていると共に、前記第２部材は、前記第１部材と交換することで当該第２部材を前記保持部材に保持させることを特徴とする請求項１記載の液体噴射ヘッドのメンテナンス方法。
【請求項３】
前記液体噴射ヘッドが複数設けられており、前記第２部材が複数の前記液体噴射ヘッドの前記カバーヘッドに同時に摺接する長さで設けられていることを特徴とする請求項１又は２記載の液体噴射ヘッドのメンテナンス方法。
【請求項４】
前記カバーヘッドのワイピングは、前記第２部材に液体洗浄用の界面活性剤を含む洗浄液を染み込ませて行うことを特徴とする請求項１〜３の何れか一項に記載の液体噴射ヘッドのメンテナンス方法。
【請求項５】
前記第１部材を用いたクリーニングを、印刷時に行い、
前記第２部材を用いたクリーニングを、印刷時に行わないことを特徴とする請求項１〜４の何れか一項に記載の液体噴射ヘッドのメンテナンス方法。
【請求項６】
液体を噴射するノズル開口が開口する液体噴射面及び該液体噴射面上に設けられて当該液体噴射面を前記ノズル開口を露出させた状態で覆うカバーヘッドを具備する液体噴射ヘッドと、
前記液体噴射ヘッドの前記液体噴射面の面方向に移動可能に設けられた保持部材と、
該保持部材に保持されて、前記液体噴射面に摺接する弾性部材からなる第１部材と、
前記保持部材に着脱可能に保持されて、前記カバーヘッドに摺接する液体吸収材からなる第２部材と、を具備することを特徴とする液体噴射装置。
【請求項７】
前記第１部材が前記保持部材に保持された状態で印刷を行い、
前記第２部材が前記保持部材に保持された状態で印刷を行わないことを特徴とする請求項６に記載の液体噴射装置。
【手続補正２】
【補正対象書類名】明細書
【補正対象項目名】００１８
【補正方法】変更
【補正の内容】
【００１８】
また、前記第１部材を用いたクリーニングを、印刷時に行い、前記第２部材を用いたクリーニングを、印刷時に行わないことが好ましい。これによれば、第２部材を常に保持部材に保持させておかなくてもよくなる。よって、ミストとなったインクが第２部材に吸水されたり、ホコリや毛羽、紙粉などの異物が第２部材に吸着されたりすることを低減することができる。
さらに、本発明の他の態様は、液体を噴射するノズル開口が開口する液体噴射面及び該液体噴射面上に設けられて当該液体噴射面を前記ノズル開口を露出させた状態で覆うカバーヘッドを具備する液体噴射ヘッドと、前記液体噴射ヘッドの前記液体噴射面の面方向に移動可能に設けられた保持部材と、該保持部材に保持されて、前記液体噴射面に摺接する弾性部材からなる第１部材と、前記保持部材に着脱可能に保持されて、前記カバーヘッドに摺接する液体吸収材からなる第２部材と、を具備することを特徴とする液体噴射装置にある。  
かかる態様では、液体吸収材からなる第２部材を用いることで、カバーヘッドに付着した液体やホコリ、毛羽、紙粉などの異物を第２部材で絡め取ることができる。したがって、カバーヘッドに液体や異物が付着することによる不具合を抑制することができる。また、液体吸収材からなる第２部材を保持部材に着脱可能とすることで、使用しないときには第２部材を取り外すことができる。したがって、第２部材に液体や異物が吸着して、液体や異物が吸着した第２部材でカバーヘッドをワイピングすることでカバーヘッドが汚れるのを抑制することができる。
また、前記第１部材が前記保持部材に保持された状態で印刷を行い、前記第２部材が前記保持部材に保持された状態で印刷を行わないことが好ましい。これによれば、第２部材を常に保持部材に保持させておかなくてもよくなる。よって、ミストとなったインクが第２部材に吸水されたり、ホコリや毛羽、紙粉などの異物が第２部材に吸着されたりすることを低減することができる。
【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
液体吐出装置に装着される液体収容容器であって、
液体を収容する液体収容部と、
前記液体収容部と連通して前記液体を前記液体吐出装置に供給する液体供給部と、前記液体供給部を囲む壁と、を有する第１面と、
前記第１面と交わる第２面と、
前記第１面と交わり、前記第２面と対向する第３面と、
前記第１面と前記第２面と前記第３面とにそれぞれ交わる第４面と、
前記第１面と前記第２面と前記第３面とにそれぞれ交わり、前記第４面と対向する第５面と、
前記第２面と前記第３面と前記第４面と前記第５面にそれぞれ交わり、前記第１面と対向する第６面と、
前記液体収容容器に着脱自在に取り付けられるカバーと、
を備え、
前記第４面は、前記第５面から前記第４面に向かう方向に突出したリブを有し、
前記壁は、前記第６面から前記第１面に向かう方向に前記第１面から突出し、
前記カバーは、
前記第６面から前記第１面に向かう方向に突出し、前記カバーが前記液体吐出装置に装着された状態において前記第１面の前記壁が挿入される凸部を有する底部と、
前記底部と交わり、前記カバーが前記液体吐出装置に装着された状態において前記第２面と対面する第１側壁部と、
前記底部と交わり、前記第１側壁面と対向し、前記カバーが前記液体吐出装置に装着された状態において前記３面と対面する第２側壁部と、
前記底部と前記第１側壁部と前記第２側壁部とそれぞれ交わり、前記カバーが前記液体吐出装置に装着された状態において前記第４面と対面し、前記カバーが前記液体吐出装置に装着された状態において前記第４面の前記リブが挿入される係合孔を有する第３側壁部と、
前記第１側壁部と交わり、前記底部と対向し、前記第６面と接する天面爪部と、
を有する、液体収容容器。
【請求項２】
請求項１に記載の液体収容容器において、
前記天面爪部は、前記第１側壁部に接続されている、液体収容容器。
【請求項３】
請求項１または請求項２に記載の液体収容容器において、
前記天面爪部は、前記第１側壁部と前記第２側壁部との間に配置されている、液体収容容器。
【請求項４】
請求項１から請求項３までのいずれか一項に記載の液体収容容器において、
前記カバーは、さらに、前記第１側壁部と交わり、前記第３側壁部と対向し、前記第５面と接する側面爪部を有する、液体収容容器。
【請求項５】
請求項４に記載の液体収容容器において、
前記側面爪部は、前記第１側壁部と接続されている、液体収容容器。
【請求項６】
請求項４または請求項５に記載の液体収容容器において、
前記側面爪部は、前記第１側壁部と前記第２側壁部との間に配置されている、液体収容容器。
【手続補正２】
【補正対象書類名】明細書
【補正対象項目名】発明の名称
【補正方法】変更
【補正の内容】
【発明の名称】液体収容容器
【手続補正３】
【補正対象書類名】明細書
【補正対象項目名】０００５
【補正方法】変更
【補正の内容】
【０００５】
本発明は、上述の課題の少なくとも一部を解決するためになされたものであり、以下の形態として実現することが可能である。
本発明の一形態によれば、液体吐出装置に装着される液体収容容器が提供される。この液体収容容器は、液体を収容する液体収容部と；前記液体収容部と連通して前記液体を前記液体吐出装置に供給する液体供給部と、前記液体供給部を囲む壁と、を有する第１面と；前記第１面と交わる第２面と；前記第１面と交わり、前記第２面と対向する第３面と；前記第１面と前記第２面と前記第３面とにそれぞれ交わる第４面と；前記第１面と前記第２面と前記第３面とにそれぞれ交わり、前記第４面と対向する第５面と；前記第２面と前記第３面と前記第４面と前記第５面にそれぞれ交わり、前記第１面と対向する第６面と；前記液体収容容器に着脱自在に取り付けられるカバーと；を備え、前記第４面は、前記第５面から前記第４面に向かう方向に突出したリブを有し、前記壁は、前記第６面から前記第１面に向かう方向に前記第１面から突出し、前記カバーは、前記第６面から前記第１面に向かう方向に突出し、前記カバーが前記液体吐出装置に装着された状態において前記第１面の前記壁が挿入される凸部を有する底部と；前記底部と交わり、前記第２面と対面する第１側壁部と；前記底部と交わり、前記第１側壁面と対向し、前記カバーが前記液体吐出装置に装着された状態において前記３面と対面する第２側壁部と；前記底部と前記第１側壁部と前記第２側壁部とそれぞれ交わり、前記カバーが前記液体吐出装置に装着された状態において前記第４面と対面し、前記第４面の前記リブが挿入される係合孔を有する第３側壁部と；前記第１側壁部と交わり、前記底部と対向し、前記カバーが前記液体吐出装置に装着された状態において前記第６面と接する天面爪部と；を有する。
【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
トレイに搭載された記録媒体に記録可能な記録装置であって、
前記記録装置の本体に収納されている交換可能な記録部品と、
前記記録部品の下方に設けられ、挿入された前記トレイを搬送する搬送機構と、
開閉可能に支持されており、開けると前記記録部品が露出して交換可能となるカバーと、
開閉可能に支持されており、開けると前記トレイの挿入口が現れるトレイベースと、
前記カバーが閉じた状態で前記トレイベースを開けると前記搬送機構が上昇し、次いで前記カバーを開けると前記搬送機構が下降するように動かす機構と
を有することを特徴とする記録装置。
【請求項２】
前記カバーは前記本体に対して回転可能に支持され、前記トレイベースは前記カバーに対して回転可能に支持されており、
前記機構は、前記トレイベースを開けるのに連動して前記搬送機構に近づく方向に移動し、次いで、前記カバーを開けるのに連動して前記搬送機構から離れる方向に移動するリリース部材を有し、
前記リリース部材が前記搬送機構に近づく方向に移動すると、前記リリース部材の一部が前記搬送機構を下から持ち上げ、
前記リリース部材が前記搬送機構から離れる方向に移動すると、前記リリース部材の一部が前記搬送機構の下から逃げて前記搬送機構が下降することを特徴とする、請求項１に記載の記録装置。
【請求項３】
前記搬送機構に対向するプラテンをさらに有し、
前記リリース部材の一部は、前記搬送機構と前記プラテンとの間に形成された隙間に入り込んで前記搬送機構を持ち上げることを特徴とする、請求項２に記載の記録装置。
【請求項４】
前記カバーの回転軸が、前記トレイベースの回転軸よりも下方に配置され、且つ、前記カバーの前記回転軸と前記トレイベースの前記回転軸の間で前記リリース部材が前記トレイベースに連結されていることを特徴とする、請求項２または３に記載の記録装置。
【請求項５】
前記カバーには、複数の面で囲まれた凹部が形成され、
前記トレイベースを閉じた状態では前記トレイベースは前記凹部に収納され、前記トレイベースを開けると前記トレイベースは前記凹部から突出して、次いで、前記カバーを開けると前記トレイベースは再び前記凹部に収納されることを特徴とする、請求項１から４のいずれか１項に記載の記録装置。
【請求項６】
前記搬送機構の上昇に伴って前記記録部品を保持するキャリッジを上昇させ、前記搬送機構の下降に伴って前記キャリッジを下降させる手段をさらに有することを特徴とする、請求項１から５のいずれか１項に記載の記録装置。
【請求項７】
前記記録部品は、インクタンクまたは記録ヘッドであることを特徴とする、請求項１から６のいずれか１項に記載の記録装置。
【手続補正２】
【補正対象書類名】明細書
【補正対象項目名】０００８
【補正方法】変更
【補正の内容】
【０００８】
上記目的を達成するために本発明の記録装置は、トレイに搭載された記録媒体に記録可能な記録装置であって、前記記録装置の本体に収納されている交換可能な記録部品と、前記記録部品の下方に設けられ、挿入された前記トレイを搬送する搬送機構と、開閉可能に支持されており、開けると前記記録部品が露出して交換可能となるカバーと、開閉可能に支持されており、開けると前記トレイの挿入口が現れるトレイベースと、前記カバーが閉じた状態で前記トレイベースを開けると前記搬送機構が上昇し、次いで前記カバーを開けると前記搬送機構が下降するように動かす機構と、を有する。
【手続補正書】
【提出日】平成26年12月3日(2014.12.3)
【手続補正１】
【補正対象書類名】特許請求の範囲
【補正対象項目名】請求項５
【補正方法】変更
【補正の内容】
【請求項５】
前記液体吐出装置の流路構成の一次デザインを取得する工程と、
前記取得した流路構成の一次デザインから前記コンプライアンス容量Ｃ、前記合成抵抗Ｒ、及び前記合成イナータンスＬ、を算出する算出工程と、
を備え、
前記出力工程は、
前記判定工程においてｆｐ＜ｆｃであると判定された場合には、前記コンプライアンス容量Ｃ及び前記合成イナータンスＬのうち少なくとも一方の値の変更を促す出力をし、ｆｃ≦ｆｐ＜ｍｆｃ、かつ、ζ≦１であると判定された場合には、前記合成抵抗Ｒの値を大きくする変更を促す出力をする請求項３に記載の液体吐出装置の設計支援方法。
【手続補正２】
【補正対象書類名】特許請求の範囲
【補正対象項目名】請求項７
【補正方法】変更
【補正の内容】
【請求項７】
前記出力工程は、前記判定工程においてζ＞１であると判定された場合には、ｆｃ≦ｆｐとなる前記脈動周波数ｆｐを出力し、ζ≦１であると判定された場合には、ｍｆｃ≦ｆｐとなる前記脈動周波数ｆｐを出力する請求項３に記載の液体吐出装置の設計支援方法。
【手続補正３】
【補正対象書類名】特許請求の範囲
【補正対象項目名】請求項１５
【補正方法】変更
【補正の内容】
【請求項１５】
前記液体吐出装置の流路構成の一次デザインを取得する工程と、
前記取得した流路構成の一次デザインから前記コンプライアンス容量Ｃ２、前記合成抵抗Ｒ、及び前記合成イナータンスＬ、を算出する算出工程と、
を備え、
前記出力工程は、
前記判定工程においてｆｐ２＜ｆｃ２であると判定された場合には、前記コンプライアンス容量Ｃ２及び前記合成イナータンスＬのうち少なくとも一方の値の変更を促す出力をし、ｆｃ２≦ｆｐ２＜ｎｆｃ２、かつ、ζ≦１であると判定された場合には、前記合成抵抗Ｒの値を大きくする変更を促す出力をする請求項１３に記載の液体吐出装置の設計支援方法。
【手続補正４】
【補正対象書類名】特許請求の範囲
【補正対象項目名】請求項１７
【補正方法】変更
【補正の内容】
【請求項１７】
前記出力工程は、前記判定工程においてζ２＞１であると判定された場合には、ｆｃ２≦ｆｐ２となる前記脈動周波数ｆｐ２を出力し、ζ２≦１であると判定された場合には、２ｆｃ２≦ｆｐ２となる前記脈動周波数ｆｐ２を出力する請求項１３に記載の液体吐出装置の設計支援方法。
【手続補正５】
【補正対象書類名】特許請求の範囲
【補正対象項目名】請求項２２
【補正方法】変更
【補正の内容】
【請求項２２】
液体を吐出するノズルを有する液体吐出ヘッドと、
前記液体吐出ヘッドに前記液体を供給する液体供給流路と、
前記液体供給流路内の液体に圧力緩衝部を介して圧力を付与する液体圧力付与手段と、
を有する液体吐出装置の設計支援装置であって、
前記液体圧力付与手段の脈動周波数ｆｐ、前記圧力緩衝部のコンプライアンス容量Ｃ、前記液体吐出ヘッド及び前記液体供給流路の合成イナータンスＬ、を取得する取得手段と、
得られた前記Ｃ及び前記Ｌを用いてｆｃ＝１／（２π（ＬＣ）０．５）で表されるカットオフ周波数ｆｃとｆｐとの関係がｆｐ≧ｆｃの関係を満たす所定の関係を満たすか否かを判定する判定手段と、
前記判定手段における判定結果を出力する出力手段と、
を備えた前記所定の関係を満たす液体吐出装置の設計支援装置。
【手続補正書】
【提出日】平成27年9月2日(2015.9.2)
【手続補正１】
【補正対象書類名】特許請求の範囲
【補正対象項目名】全文
【補正方法】変更
【補正の内容】
【特許請求の範囲】
【請求項１】
紙幣を投入可能であるとともに残額を記憶したプリペイド媒体を挿入／排出可能で、遊技者により挿入された前記プリペイド媒体の残額にもとづき貸し球の払い出しに係る制御を実行する一方、所定の操作に応じて前記プリペイド媒体を排出して遊技者に返却する球貸機と電気的に接続されているとともに、
遊技者が操作可能な球貸しボタンと、前記球貸機を通じて前記残額の有無を検知可能であり、前記残額がある状況において前記球貸しボタンが操作されると、所定個数の遊技球を貸し球として払い出す制御手段とを備えたパチンコ機であって、
遊技者に前記プリペイド媒体の返却忘れについて注意喚起する注意喚起手段を備えているとともに、前記制御手段に計時手段を備え、
前記制御手段は、前記残額がない状況から前記残額がある状況になったことをもって計時を開始し、前記残額がある状況が所定時間にわたり継続すると、所定のタイミングで前記注意喚起手段を作動させることを特徴とするパチンコ機。
【請求項２】
前記残額に係る情報を表示する残度表示部を備えており、
前記制御手段は、前記所定のタイミングで、遊技者に前記プリペイド媒体の返却忘れについて注意喚起する注意喚起メッセージ表示を前記残度表示部に表示することを特徴とする請求項１に記載のパチンコ機。
【手続補正２】
【補正対象書類名】明細書
【補正対象項目名】０００６
【補正方法】変更
【補正の内容】
【０００６】
上記目的を達成するために、本発明のうち請求項１に記載の発明は、紙幣を投入可能であるとともに残額を記憶したプリペイド媒体を挿入／排出可能で、遊技者により挿入された前記プリペイド媒体の残額にもとづき貸し球の払い出しに係る制御を実行する一方、所定の操作に応じて前記プリペイド媒体を排出して遊技者に返却する球貸機と電気的に接続されているとともに、遊技者が操作可能な球貸しボタンと、前記球貸機を通じて前記残額の有無を検知可能であり、前記残額がある状況において前記球貸しボタンが操作されると、所定個数の遊技球を貸し球として払い出す制御手段とが備えられたパチンコ機であって、遊技者に前記プリペイド媒体の返却忘れについて注意喚起する注意喚起手段が備えられているとともに、前記制御手段に計時手段が備えられており、前記制御手段は、前記残額がない状況から前記残額がある状況になったことをもって計時を開始し、前記残額がある状況が所定時間にわたり継続すると、所定のタイミングで前記注意喚起手段を作動させることを特徴とする。
請求項２に記載の発明は、請求項１に記載の発明において、前記残額に係る情報を表示する残度表示部が備えられており、前記制御手段は、前記所定のタイミングで、遊技者に前記プリペイド媒体の返却忘れについて注意喚起する注意喚起メッセージ表示を前記残度表示部に表示することを特徴とする。
なお、紙幣を投入可能であるとともに残額を記憶したプリペイド媒体を挿入／排出可能で、遊技者により挿入された前記プリペイド媒体の残額にもとづき貸し球の払い出しに係る制御を実行する一方、所定の操作に応じて前記プリペイド媒体を排出して遊技者に返却する球貸機と電気的に接続されているとともに、遊技者が操作可能な球貸しボタンと、前記球貸機を通じて前記残額の有無を検知可能であり、前記残額がある状況において前記球貸しボタンが操作されると、所定個数の遊技球を貸し球として払い出す制御手段とを備えたパチンコ機において、遊技者に前記プリペイド媒体の返却忘れについて注意喚起する注意喚起手段を備えているとともに、前記制御手段に計時手段を備え、前記制御手段は、前記球貸しボタンの操作に伴い前記貸し球の払い出した後にも前記残額がある状況において、前記球貸しボタンの操作をもって計時を開始し、所定の注意喚起時間にわたり再度前記球貸しボタンが操作されないと、所定のタイミングで前記注意喚起手段を作動させるように構成することも考えられる。
そして、そのような構成を採用することにより、遊技者がプリペイド媒体の返却を忘れたまま席を離れてしまうといった事態を効果的に防止することができる。
【手続補正３】
【補正対象書類名】明細書
【補正対象項目名】０００７
【補正方法】変更
【補正の内容】
【０００７】
本発明のうち請求項１に記載の発明では、制御手段が、残額がない状況から残額がある状況になったことをもって計時を開始し、残額がある状況が所定時間にわたり継続すると、所定のタイミングで注意喚起手段を作動させる。したがって、請求項１に記載の発明によれば、遊技者がプリペイド媒体の返却を忘れたまま席を離れてしまうといった事態を効果的に防止することができる。
また、請求項２に記載の発明によれば、残額に係る情報を表示する残度表示部を注意喚起手段としており、注意喚起手段として別途専用の部材を設けていないため、部材の増加に伴う遊技として使用可能なスペースの低減等といった事態も生じない。
【手続補正書】
【提出日】平成27年8月3日(2015.8.3)
【手続補正１】
【補正対象書類名】特許請求の範囲
【補正対象項目名】全文
【補正方法】変更
【補正の内容】
【特許請求の範囲】
【請求項１】
取得した遊技情報に基づいて、遊技者にとって有利な特別遊技を行うか否かの特別遊技判定を行う特別遊技判定手段と、
所定の表示手段を含む演出手段に、所定の演出を行わせる演出制御手段とを備え、
前記演出制御手段は、
前記特別遊技判定の判定結果に基づいて、前記表示手段において装飾図柄を変動表示させる変動演出を行わせることが可能であり、
前記変動演出において、前記装飾図柄を変動表示させてから所定の停止態様で仮停止表示させる擬似変動を複数回行わせることを可能にし、
前記擬似変動において、前記装飾図柄を、第１の停止態様で仮停止表示させるときと、第２の停止態様で仮停止表示させるときと、があり、
前記装飾図柄が、前記第１の停止態様で仮停止表示されたときと、前記第１の停止態様で仮停止表示されなかったときとで、前記特別遊技が行われる可能性が互いに異なる、遊技機。
【請求項２】
前記擬似変動は、前記装飾図柄が前記第２の停止態様で仮停止表示されるときよりも前記第１の停止態様で仮停止表示されるときの方が、前記装飾図柄の変動表示時間が長い、請求項１に記載の遊技機。
【手続補正書】
【提出日】平成27年8月3日(2015.8.3)
【手続補正１】
【補正対象書類名】特許請求の範囲
【補正対象項目名】全文
【補正方法】変更
【補正の内容】
【特許請求の範囲】
【請求項１】
取得した遊技情報に基づいて、遊技者にとって有利な特別遊技を行うか否かの特別遊技判定を行う特別遊技判定手段と、
前記特別遊技判定が行われる前に、前記遊技情報に基づいて、前記特別遊技を行うか否かの事前判定を行う事前判定手段と、
前記特別遊技判定が行われることに応じて、所定の演出を行う演出制御手段とを備え、
前記演出制御手段は、
前記演出において、前記特別遊技判定の判定結果に基づいて、特殊演出を行うことが可能であるとともに、前記事前判定の判定結果に基づいて、特別演出を行うことが可能であり、
所定の予告演出を行うことを可能にし、
前記予告演出が行われた後に、前記特殊演出が行われるときと、前記特別演出が行われるときと、がある、遊技機。
【請求項２】
前記予告演出は、前記特殊演出が行われるときと前記特別演出が行われるときとで同じ演出態様で行われる、請求項１に記載の遊技機。
【手続補正書】
【提出日】平成27年8月3日(2015.8.3)
【手続補正１】
【補正対象書類名】特許請求の範囲
【補正対象項目名】全文
【補正方法】変更
【補正の内容】
【特許請求の範囲】
【請求項１】
取得した遊技情報に基づいて、遊技者にとって有利な特別遊技を行うか否かの特別遊技判定を行う特別遊技判定手段と、
前記特別遊技判定が行われる前に、前記遊技情報に基づいて、前記特別遊技を行うか否かの事前判定を行う事前判定手段と、
所定の演出手段に、所定の演出を行わせる演出制御手段とを備え、
前記演出制御手段は、
前記特別遊技判定の判定結果に基づいて、判定演出を行わせることが可能であり、
前記事前判定の判定結果に基づいて、前記判定演出において特別演出を行わせることを可能にし、
前記特別演出は、前記特別遊技が行われる可能性が互いに異なる第１の特別演出と第２の特別演出とを含み、
前記第１の特別演出が行われてから前記第２の特別演出が行われる第１パターンと、前記第１の特別演出が行われてから前記第２の特別演出が行われない第２パターンと、前記第１特別演出が行われずに前記第２の特別演出が行われる第３パターンと、がある、遊技機。
【請求項２】
前記演出手段は、所定の表示手段を含み、
前記演出制御手段は、
前記判定演出において、前記表示手段に装飾図柄を変動表示させることが可能であるとともに、前記装飾図柄を特定の停止態様で仮停止表示または停止表示させることが可能であり、
前記特別演出を行わせる第１の判定演出において、前記装飾図柄を特定の停止態様で仮停止表示させるときと、前記第１の判定演出よりも前の第２の判定演出において、前記装飾図柄を特定の停止態様で停止表示させるときと、があり、
前記第１パターンでは、前記第１の特別演出が行われてから前記第１の判定演出において前記装飾図柄が特定の停止態様で仮停止表示された後に前記第２の特別演出が行われ、
前記第２パターンでは、前記第１の特別演出が行われてから前記第１の判定演出において前記装飾図柄が特定の停止態様で仮停止表示されず、
前記第３パターンでは、前記第２の判定演出において前記装飾図柄が特定の停止態様で停止表示された後に前記第２の特別演出が行われる、請求項１に記載の遊技機。
【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
基体に付着した付着物を剥ぎ取る為のメッシュ状剥ぎ取り具であって、ミトン型手袋の形態を有し、メッシュを構成する線状部材の直径が0.4ミリ、メッシュの1辺が4~5ミリであることを特徴とするポリエチレン製剥ぎ取り具。
【請求項２】
基体の指先継ぎ合わせ部分を強化し、手の平側にて基体を挟み込み、部分的付着物を剥ぎ取り易い形状とする。
【請求項３】
基体が調理具や食器、水槽や花瓶、シンク又は、植物であって、それらに付着した付着物剥ぎ取り具。
【請求項４】
速乾性を助長するため、ひっかけて干すことの可能なループ付きである。
【手続補正書】
【提出日】平成27年8月3日(2015.8.3)
【手続補正１】
【補正対象書類名】特許請求の範囲
【補正対象項目名】全文
【補正方法】変更
【補正の内容】
【特許請求の範囲】
【請求項１】
取得した遊技情報に基づいて、遊技者にとって有利な特別遊技を行うか否かの特別遊技判定を行う特別遊技判定手段と、
前記特別遊技判定が行われる前に、前記遊技情報に基づいて、前記特別遊技を行うか否かの事前判定を行う事前判定手段と、
所定の表示手段を含む演出手段に、所定の演出を行わせる演出制御手段とを備え、
前記演出制御手段は、
前記特別遊技判定の判定結果に基づいて、前記表示手段に装飾図柄を変動表示させてから停止表示させる変動演出を行わせることが可能であり、
前記事前判定の判定結果に基づいて、前記変動演出において特別演出を行わせることを可能にし、
前記特別演出を行わせる第１の変動演出よりも前の第２の変動演出において、前記装飾図柄を、通常の停止態様で停止表示させるときと、特定の停止態様で停止表示させるときと、があり、
前記特別演出は、前記装飾図柄が前記通常の停止態様で停止表示された後に行なわれるときには、前記装飾図柄が前記特定の停止態様で停止表示された後に行なわれるときよりも後のタイミングで行われる、遊技機。
【手続補正書】
【提出日】平成27年8月27日(2015.8.27)
【手続補正１】
【補正対象書類名】特許請求の範囲
【補正対象項目名】全文
【補正方法】変更
【補正の内容】
【特許請求の範囲】
【請求項１】
ＲＦプリパルスの印加を伴うＲＦプリパルス部と、マルチエコーシーケンスを用いて複数のエコーを計測する本計測部と、を組み合わせたパルスシーケンスを設定するパルスシーケンス設定部と、
前記設定されたパルスシーケンスに基づいて、被検体から複数のエコーの計測を制御する計測制御部と、
前記複数のエコーの各々に対応する複数の画像を再構成する画像再構成部と、
を有してなる磁気共鳴イメージング装置であって、
前記複数のエコーの各々に対応する複数のｋ空間データ領域をメモリ内に確保するｋ空間確保部と、
前記複数のｋ空間データ領域を各々複数の分割領域に分割するｋ空間分割部と、
前記複数のｋ空間データ領域の間で、前記分割領域の計測順序を異ならせるようにエンコード順序を決定するエンコード順序決定部と、
を更に備え、
前記パルスシーケンス設定部は、少なくとも一部の前記分割領域に充填するエコーデータの計測の際に、前記ＲＦプリパルス部を実行するように前記パルスシーケンスを設定し、
前記画像再構成部は、前記複数のｋ空間データ領域のデータをそれぞれ再構成して、前記ＲＦプリパルスの効果が異なる複数の画像を再構成することを特徴とする磁気共鳴イメージング装置。
【請求項２】
請求項１記載の磁気共鳴イメージング装置において、
前記ＲＦプリパルスはＭＴＣパルスであり、
前記ｋ空間確保部は、第１エコー用の第１ｋ空間データ領域と、第２エコー用の第２ｋ空間データ領域を確保し、
前記ｋ空間分割部は、各ｋ空間データ領域を、その原点を含む低周波領域と、該低周波領域の外側の高周波領域とに分割し、
前記エンコード順序決定部は、前記第１ｋ空間データ領域の低周波領域のエコーと前記第２ｋ空間データ領域の高周波領域のエコーとが同一ショットで計測され、前記第１ｋ空間データ領域の高周波領域のエコーと前記第２ｋ空間データ領域の低周波領域のエコーとが同一ショットで計測されるように、各エコーのエンコード情報を決定し、
前記パルスシーケンス設定部は、前記第１ｋ空間データ領域の低周波領域に充填するエコーの計測時に前記ＭＴＣパルスを印加するように前記パルスシーケンスを設定することを特徴とする磁気共鳴イメージング装置。
【請求項３】
請求項１記載の磁気共鳴イメージング装置において、
前記ＲＦプリパルスはＩＲパルスであり、
前記パルスシーケンス設定部は、前記本計測部において前記マルチエコーシーケンスを複数回繰り返すことで、各回で計測されるマルチエコーの反転回復時間が異なるように前記パルスシーケンスを設定し、
前記ｋ空間確保部は、第１エコー用の第１ｋ空間データ領域と、第２エコー用の第２ｋ空間データ領域を確保し、
前記ｋ空間分割部は、各ｋ空間データ領域のｋｙ方向の正側及び負側の領域を、それそれ前記複数のエコーのエコー数と同数のセグメントに分割し、
前記エンコード順序決定部は、前記第１ｋ空間データ領域をｋｙ方向の中心（低域）側のセグメントから高域側のセグメントに向けて各セグメントを計測し、前記第２ｋ空間データ領域をｋｙ方向の高域側のセグメントから中心（低域）側のセグメントに向けて各セグメントを計測するように、各エコーのエンコード情報を決定することを特徴とする磁気共鳴イメージング装置。
【請求項４】
ＲＦプリパルスの印加を伴うＲＦプリパルス部と、マルチエコーシーケンスを用いて複数のエコーを計測する本計測部と、を有してなるパルスシーケンスを設定するパルスシーケンスステップと、
前記設定されたパルスシーケンスに基づいて、被検体から複数のエコーの計測を制御する計測ステップと、
計測されたエコー毎の画像を再構成する画像再構成ステップと、
を有してなる磁気共鳴イメージング装置におけるマルチエコー計測方法であって、
前記複数のエコーの各々に対応する複数のｋ空間データ領域をメモリ内に確保するｋ空間確保ステップと、
前記複数のｋ空間データ領域を各々複数の分割領域に分割するｋ空間分割ステップと、
前記複数のｋ空間データ領域の間で、前記分割領域の計測順序を異ならせるようにエンコード順序決定ステップと、
を更に備え、
前記画像再構成ステップは、前記複数のｋ空間データ領域のデータをそれぞれ再構成して、前記ＲＦプリパルスの効果が異なる複数の画像を再構成することを特徴とするマルチエコー計測方法。
【手続補正２】
【補正対象書類名】明細書
【補正対象項目名】００１６
【補正方法】変更
【補正の内容】
【００１６】
このMRI装置は、NMR現象を利用して被検体116の断層画像を得るもので、図1に示すように、ガントリ101は静磁場コイル102と、傾斜磁場コイル103と、照射コイル104と、受信コイル105と、を備えて構成される。
【手続補正３】
【補正対象書類名】明細書
【補正対象項目名】００２４
【補正方法】変更
【補正の内容】
【００２４】
演算処理部111は計測制御部112の駆動・制御と、k空間データ(k空間データ領域)113へのエコーデータの充填順序の決定と、受信系105で検出したエコーデータのk空間データ領域113への保存と、k空間データ領域113を用いた画像再構成演算を行う信号処理と、操作卓115への返信とを行う。
【手続補正４】
【補正対象書類名】図面
【補正対象項目名】図７
【補正方法】変更
【補正の内容】
【図７】
2014046124.tif 000001
【手続補正書】
【提出日】平成27年8月24日(2015.8.24)
【手続補正１】
【補正対象書類名】明細書
【補正対象項目名】００１７
【補正方法】変更
【補正の内容】
【００１７】
また補正用マーク３の（登録商標）ＰＬＵＳというマークは、ホワイトボードの認証を行うマークとして用いられる。
このマークが認識されたもののみ台形補正が行われる。
尚、補正用マーク３のＳＷＢ−というマークは特に意味をなすものではない。
【手続補正書】
【提出日】平成27年6月19日(2015.6.19)
【手続補正１】
【補正対象書類名】明細書
【補正対象項目名】０００６
【補正方法】変更
【補正の内容】
【０００６】
上記課題を解決するために、本発明によれば、
第一の部品を第二の部品に接続することによって形成される筒状体であって、
第一の部品は、一次成形によって成形される一次成形品と、二次成形によって一次成形品の外表面又は内表面のいずれか一方に成形される二次成形品とから構成され、
二次成形品は、弾性体から作成され、かつ表面から径方向に突出する凸部を含み、
第一の部品と第二の部品とが接続されたときに、前記凸部と対向する第二の部品の表面とが互いに当接する、
筒状体が提供される。
【手続補正２】
【補正対象書類名】特許請求の範囲
【補正対象項目名】全文
【補正方法】変更
【補正の内容】
【特許請求の範囲】
【請求項１】
第一の部品を第二の部品に接続することによって形成される筒状体であって、
第一の部品は、一次成形によって成形される一次成形品と、二次成形によって一次成形品の外表面又は内表面のいずれか一方に成形される二次成形品とから構成され、
二次成形品は、弾性体から作成され、かつ表面から径方向に突出する凸部を含み、
第一の部品と第二の部品とが接続されたときに、前記凸部と対向する第二の部品の表面とが互いに当接する、
筒状体。
【請求項２】
前記凸部が、第一の部品の二次成形品のゲート残り部である、
請求項１に記載の筒状体。
【請求項３】
第一の部品と第二の部品とが、螺合することによって又はスナップ嵌めによって接続される、
請求項１又は２に記載の筒状体。
【請求項４】
請求項１〜３のいずれか１項に記載の筒状体を含む軸筒であって、
第一の部品が前軸又は後軸のいずれか一方であり、第二の部品が後軸又は前軸のいずれか他方である、
軸筒。
【手続補正書】
【提出日】平成26年12月24日(2014.12.24)
【手続補正１】
【補正対象書類名】特許請求の範囲
【補正対象項目名】全文
【補正方法】変更
【補正の内容】
【特許請求の範囲】
【請求項１】
有利条件の成立に基づいて有利な有利状態に制御可能である遊技機であって、
遊技領域が設けられる本体枠と、
遊技領域の前面を覆うとともに、本体枠に対し開閉可能に設けられる前面枠と、
未だ開始していない可変表示を保留記憶として記憶する保留記憶手段と、
前記保留記憶手段に記憶されている保留記憶に基づいて予告演出を実行する予告演出実行手段と、
を備え、
前記予告演出実行手段は、
前面枠が閉状態であるときに記憶された保留記憶よりも、開状態であるときに記憶された保留記憶のほうが、保留記憶に基づく予告演出を高い割合で実行可能であることを特徴とする遊技機。
【手続補正２】
【補正対象書類名】明細書
【補正対象項目名】０００６
【補正方法】変更
【補正の内容】
【０００６】
本発明は、上記実情に鑑みなされたものであり、遊技興趣の低下を抑制することができる遊技機を提供することを目的とする。
【手続補正３】
【補正対象書類名】明細書
【補正対象項目名】０００７
【補正方法】変更
【補正の内容】
【０００７】
（１）上記目的を達成するため、本発明の一態様である遊技機は、
有利条件の成立（例えば、第１、第２特別図柄表示装置４Ａ、４Ｂに大当り図柄や小当り図柄となる確定特別図柄が導出表示されることや、画像表示装置５に大当り組合せや開放チャンス目となる確定飾り図柄が導出表示されることなど）に基づいて有利な有利状態（例えば大当り遊技状態や小当り遊技状態など）に制御可能である遊技機（例えばパチンコ遊技機１など）であって、遊技領域が設けられる本体枠（例えば、遊技機用枠３Ａなど）と、遊技領域の前面を覆うとともに、本体枠に対し開閉可能に設けられる前面枠（例えば、ガラス扉３Ｂなど）と、未だ開始していない可変表示を保留記憶として記憶する保留記憶手段（例えば、第１特図保留記憶部１５１Ａ、第２特図保留記憶部１５１Ｂ、始動入賞時受信コマンドバッファ１９４Ａなど）と、前記保留記憶手段に記憶されている保留記憶に基づいて予告演出（例えば、保留表示パターン「ＨＨＰ１」以外の保留表示パターン「ＨＨＰ２」〜「ＨＨＰ７」による保留表示予告演出など）を実行する予告演出実行手段（例えばステップＳ６０７、ステップＳ６０８の処理を実行するＣＰＵ１２０など）と、を備え、前記予告演出実行手段は、前面枠が閉状態であるときに記憶された保留記憶（ガラス扉３Ｂが閉状態であるときに遊技球が第１始動領域又は第２始動領域を通過したことに応じて記憶された通常時保留情報など）よりも、開状態であるときに記憶された保留記憶（ガラス扉３Ｂが開状態であるときに遊技球が第１始動領域又は第２始動領域を通過したことに応じて記憶された開状態時保留情報）のほうが、保留記憶に基づく予告演出を高い割合で実行可能（例えば、図２１、図２２によれば、閉状態であるときに記憶された通常時保留情報よりも、開状態であるときに記憶された開状態時保留情報のほうが、保留表示パターン「ＨＨＰ２」〜「ＨＨＰ７」の決定割合が高く、高い割合で保留表示予告演出が実行可能等）であることを特徴とする。
このような構成によれば、遊技興趣の低下を抑制することができる。
【手続補正４】
【補正対象書類名】明細書
【補正対象項目名】０００８
【補正方法】変更
【補正の内容】
【０００８】
（２）上記（１）の遊技機において、
前記予告演出実行手段は、複数の予告演出の実行タイミングのうちの保留記憶が前記保留記憶手段に記憶される保留記憶タイミング（例えば、保留表示が始動入賞記憶表示エリア５Ｈに表示されるタイミング等）において、前面枠が閉状態であるときに記憶された保留記憶よりも開状態であるときに記憶された保留記憶のほうが、保留記憶に基づく予告演出を高い割合で実行可能であってもよい。
このような構成によれば、保留記憶タイミングに注目するようになり、遊技興趣の低下をより抑制することができる。
【手続補正５】
【補正対象書類名】明細書
【補正対象項目名】０００９
【補正方法】変更
【補正の内容】
【０００９】
（３）上記（１）または（２）の遊技機において、
前記予告演出実行手段は、前面枠が閉状態であるときに記憶された保留記憶と、前面枠が開状態であるときに記憶された保留記憶とで異なる態様で予告演出を実行可能（例えば、図２１、図２２に示すように、通常時保留情報と、開状態時保留情報とで異なる態様（例えば、通常時演出色、開状態時演出色など）で保留表示予告演出を実行可能等）であってもよい。
このような構成によれば、前面枠が開状態であるときに記憶された保留記憶に基づく予告演出は、前面枠が閉状態であるときに記憶された保留記憶に基づく予告演出とは異なる態様で実行されるので、遊技興趣の低下をより抑制することができる。また、前面枠が開状態であるときに記憶された保留記憶であることを確認することができる。
【手続補正６】
【補正対象書類名】明細書
【補正対象項目名】００１０
【補正方法】変更
【補正の内容】
【００１０】
（４）上記（１）から（３）のいずれかの遊技機において、
前面枠が閉状態であるときに報知を実行する報知手段を備え、前記予告演出実行手段は、前記報知手段による報知と並行して、予告演出を実行可能（例えば、スピーカ８Ｌ、８Ｒや遊技効果ランプ９などによる報知と並行して、保留表示予告演出を実行可能等）であってもよい。
このような構成によれば、報知と並行して、遊技興趣の低下を抑制することができる。
【手続補正７】
【補正対象書類名】明細書
【補正対象項目名】００１１
【補正方法】変更
【補正の内容】
【００１１】
（５）上記（１）から（４）のいずれかの遊技機において、
通常確率で有利条件が成立する通常状態と、通常確率よりも高確率で有利条件が成立する高確率状態とを含む複数の遊技状態（例えば遊技制御フラグ設定部１５２などに設けられたフラグによって制御される遊技状態）のいずれかに制御され、前記予告演出実行手段は、遊技状態に応じて異なる割合で予告演出を実行可能（例えば、図２１、図２２に示すように、非確変状態と確変状態とでは異なる割合で保留表示予告演出を実行可能等）であってもよい。
このような構成によれば、遊技状態に応じて異なる割合で予告演出を実行しつつ、遊技興趣の低下を抑制することができる。
【手続補正書】
【提出日】平成27年8月21日(2015.8.21)
【手続補正１】
【補正対象書類名】明細書
【補正対象項目名】０１０７
【補正方法】変更
【補正の内容】
【０１０７】
最初に調整対象となる超音波素子を選択する（ステップＳ１１）。調整対象としては、個々の超音波素子であってもよいし、複数の超音波素子を含む超音波素子列であってもよい。例えば図２に示した超音波トランスデューサーデバイス１００では、第１〜第１２の超音波素子列のうちの１つを選択することができる。超音波素子列とは、同一の駆動電極線に接続された複数の超音波素子から構成される列である。例えば第６の超音波素子列は、駆動電極線ＤＬ６に接続された８個の超音波素子ＵＥ１−６、ＵＥ２−６、・・・ＵＥ８−６から構成される。超音波素子列の選択は、制御部２３０の制御に基づいて、選択回路ＭＵＸにより行われる。
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
吸収性コアをコアラップシートで包んだ吸収体を備えた吸収性物品の製造方法であって、
前記吸収体は、厚み方向に一部隆起した隆起部を有し、
前記吸収体の連続体を、周面に複数の凸部を有する凸ロールとフラットロールとの間に供給し、各前記凸部によって、前記吸収体の前記隆起部の内部にまで入り込んだ凹部を形成するとともに、前記コアラップシートを該隆起部の内部にまで入り込ませる凹部形成工程を備え、
前記凸ロールは、複数の前記凸部が、該凸ロールの周方向に一定の間隔を空けて配されて形成された凸部列を有しており、
前記凹部形成工程に用いる各前記凸部は、その先端部分が段階的に突出して、該先端部分に突出部を有しており、該突出部の先端の最も狭い位置での幅（Ｗ１）と該突出部の先端までの突出高さ（ｈ）との関係を、Ｗ１≧ｈとする吸収性物品の製造方法。
【請求項２】
前記突出部の先端の最も狭い位置での幅（Ｗ１）と、該突出部と前記凸部の該突出部との境界に位置する外周縁との間隔（Ｗ２）との関係を、Ｗ１＞Ｗ２とする請求項１に記載の吸収性物品の製造方法。
【請求項３】
前記凹部形成工程においては、前記凸ロールの各前記凸部によって、前記吸収体の非隆起面側から、前記隆起部の内部にまで入り込んだ凹部を形成する請求項１又は２に記載の吸収性物品の製造方法。
【請求項４】
前記吸収体として、下層吸収体と該下層吸収体上の上層吸収体とからなる２層構造のものを用い、
前記下層吸収体及び前記上層吸収体は、それぞれ、下層吸収性コア及び上層吸収性コアを有し、
前記隆起部が前記上層吸収体の前記上層吸収性コアである請求項１〜３の何れか１項に記載の吸収性物品の製造方法。
【請求項５】
前記吸収体の連続体は、前記上層吸収体の連続体を含んでおり、
前記上層吸収体の連続体は、前記上層吸収性コアの前記下層吸収性コアに遠い面側が上層コアラップシートの連続体で被覆されており、該上層吸収性コアの左右両側部から側方へ延出する該上層コアラップシートの連続体の部分それぞれが該上層吸収性コアの前記下層吸収性コアに近い面側に折られて、その折られた先端部分それぞれが、重なり合っている請求項４に記載の吸収性物品の製造方法。
【請求項６】
吸収性コアをコアラップシートで包んだ吸収体を備えた吸収性物品であって、
前記吸収体は、厚み方向に一部隆起した隆起部を有し、
前記吸収体は、該吸収体の前記隆起部の内部にまで入り込んだ複数の凹部を有し、
前記コアラップシートは、前記吸収性コアの肌対向面側を被覆するシートとは別体の、該吸収性コアの非肌対向面側を被覆するシートを有し、該非肌対向面側を被覆するシートが前記凹部において前記隆起部の内部にまで入り込んでおり、
前記吸収体は、下層吸収体と該下層吸収体上の上層吸収体とからなる２層構造のものからなり、
前記下層吸収体及び前記上層吸収体は、それぞれ、下層吸収性コア及び上層吸収性コアを有し、
前記隆起部が前記上層吸収体の前記上層吸収性コアであり、
前記吸収体は、前記下層吸収性コアを包む下層コアラップシートと、前記上層吸収性コアを包む上層コアラップシートとを有しており、
前記上層吸収体は、前記上層吸収性コアの前記下層吸収性コアから遠い面側が前記上層コアラップシートで被覆され、該上層吸収性コアの左右両側部から側方へ延出する該上層コアラップシートの部分それぞれが該上層吸収性コアの前記下層吸収性コアに近い面側に折られて、その折られた先端部分それぞれが、重なり合っており、
前記下層コアラップシートは、前記下層吸収性コアの肌対向面側を被覆し、該下層吸収性コアの左右両側部から側方へ延出する該下層コアラップシートの部分それぞれが該下層吸収性コアの非肌対抗面側に折られている吸収性物品。
【請求項７】
複数の前記凹部の内の１個の該凹部を視た場合に、前記非肌対向面側を被覆するシートが該凹部の壁面から該凹部の底部に亘って連続している請求項６に記載の吸収性物品。
【請求項８】
前記吸収体は、複数の前記凹部それぞれに対応する位置に、該吸収体の隆起面側から非隆起面側に向かって凹んだ表面側凹部を有している請求項６又は７に記載の吸収性物品。
【請求項９】
前記隆起部は、前記吸収性物品の縦方向に間隔を空けて形成されている請求項６〜８の何れか１項に記載の吸収性物品。
【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
ゲート電極と、ゲート絶縁層と、半導体層と、第１の絶縁層と、第２の絶縁層と、ソース電極と、ドレイン電極と、を有し、
前記ゲート絶縁層は、前記ゲート電極と前記半導体層との間に設けられ、
前記第１の絶縁層は、前記半導体層上に設けられ、
前記第２の絶縁層は、前記ゲート電極上、前記ゲート絶縁層上、前記半導体層上、及び前記第１の絶縁層上に設けられ、
前記ソース電極及び前記ドレイン電極は、前記第１の絶縁層に設けられたコンタクトホールを介して前記半導体層に電気的に接続され、
前記ドレイン電極は、画素電極と電気的に接続され、
前記ゲート絶縁層、前記半導体層、及び前記第１の絶縁層の側面が概略一致していることを特徴とする表示装置。
【請求項２】
トランジスタと、容量素子と、を有し、
前記トランジスタは、ゲート電極と、ゲート絶縁層と、半導体層と、第１の絶縁層と、第２の絶縁層と、ソース電極と、ドレイン電極と、を有し、
前記ゲート絶縁層は、前記ゲート電極と前記半導体層との間に設けられ、
前記第１の絶縁層は、前記半導体層上に設けられ、
前記第２の絶縁層は、前記第１の絶縁層上に設けられ、
前記ソース電極及び前記ドレイン電極は、前記第２の絶縁層上に、前記第１の絶縁層及び前記第２の絶縁層に形成されたコンタクトホールを介して前記半導体層に電気的に接続され、
前記ドレイン電極は、画素電極と電気的に接続され、
前記ゲート絶縁層、前記半導体層、及び前記第１の絶縁層の側面は概略一致し、
前記容量素子は、容量配線と前記ドレイン電極との間に、前記第２の絶縁層を挟んで形成されることを特徴とする表示装置。
【請求項３】
請求項１または請求項２において、
前記ゲート電極は前記半導体層と重畳し、
前記ゲート電極の端部が、前記半導体層の端部より外側に突出した形状を有することを特徴とする表示装置。
【請求項４】
請求項１乃至請求項３のいずれか一項において、
前記半導体層は、酸化物半導体であることを特徴とする表示装置。
【請求項５】
請求項１乃至請求項４のいずれか一項において、
前記ゲート電極、前記ソース電極、または前記ドレイン電極は、銅を含む材料で形成されていることを特徴とする表示装置。
【請求項６】
第１の導電層と、第１の絶縁層と、半導体層と、第２の絶縁層を形成し、
第１のフォトリソグラフィ工程により、前記導電層と、前記第１の絶縁層と、前記半導体層と、前記第２の絶縁層を選択的に除去して、ゲート電極と、島状の半導体層と、を形成し、
第２のフォトリソグラフィ工程により、前記第２の絶縁層を選択的に除去して、前記島状の半導体層の一部を露出させ、
第２の導電層を形成し、
第３のフォトリソグラフィ工程により、前記第２の導電層を選択的に除去して、ソース電極及びドレイン電極を形成し、
第３の導電層を形成し、
第４のフォトリソグラフィ工程により、前記第３の導電層を選択的に除去して、画素電極を形成することを特徴とする表示装置の作製方法。
【請求項７】
第１の導電層と、第１の絶縁層と、半導体層と、第２の絶縁層を形成し、
第１のフォトリソグラフィ工程により、前記導電層と、前記第１の絶縁層と、前記半導体層と、前記第２の絶縁層を選択的に除去して、ゲート電極と、容量配線と、島状の半導体層と、を形成し、
前記ゲート電極と、前記容量配線と、前記島状の半導体層を覆って第３の絶縁層を形成し、
第２のフォトリソグラフィ工程により、前記第２の絶縁層及び前記第３の絶縁層を選択的に除去して、前記島状の半導体層の一部を露出させ、
第２の導電層を形成し、
第３のフォトリソグラフィ工程により、前記第２の導電層を選択的に除去して、ソース電極及びドレイン電極を形成し、
前記ドレイン電極の一部は、前記第３の絶縁層および前記容量配線と重畳し、
第３の導電層を形成し、
第４のフォトリソグラフィ工程により、前記第３の導電層を選択的に除去して、画素電極を形成することを特徴とする表示装置の作製方法。
【請求項８】
請求項６または請求項７において、
前記導電層と、前記第１の絶縁層と、前記半導体層と、前記第２の絶縁層の形成を、大気に曝すことなく連続して行うことを特徴とする表示装置の作製方法。
【請求項９】
請求項６乃至請求項８のいずれか一項において、
前記半導体層は、酸化物半導体であることを特徴とする表示装置の作製方法。
【請求項１０】
請求項６乃至請求項９のいずれか一項において、
前記ゲート電極、前記ソース電極、または前記ドレイン電極は、銅を含む材料で形成されていることを特徴とする表示装置の作製方法。
【請求項１１】
請求項６乃至請求項１０のいずれか一項において、
前記ゲート電極、前記ソース電極、または前記ドレイン電極を形成した後のプロセス最高温度が４５０℃以下であることを特徴とする表示装置の作製方法。
【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
第１の材料（２）で作られるパターンを生成する方法であって、
第１のエッチングマスク（４）と、カバリング層（３）と、第２のエッチングマスク（６）とにより覆われた第１の材料（２）の層が設けられた基板（１）を供給するステップであって、前記カバリング層（３）は、前記第２のエッチングマスク（６）により覆われた主領域（Ｃ）と、覆われていない副領域（Ｄ）と、を有する、ステップと、
前記カバリング層（３）の副領域（Ｄ）を、前記第２のエッチングマスク（６）を用いて部分的にエッチングし、前記カバリング層（３）に突出パターンを形成するステップと、
マスキング材料（５）を形成およびエッチングして、第３のエッチングマスク（８）を定義する前記突出パターンの周囲に、横スペーサを形成するステップと、
前記第２のエッチングマスク（６）を除去するステップと、
前記第３のエッチングマスク（８）を用いて、前記カバリング層（３）をエッチングし、前記カバリング層（３）における突出パターンを形成し、かつ、前記第１のエッチングマスク（４）および前記第１の材料（２）を露出させるステップと、
前記カバリング層（３）と前記第１のエッチングマスク（４）とを用いて、前記第１の材料（２）の層をエッチングし、前記第１の材料（２）で作られるパターンを形成するステップと、
を備えることを特徴とする方法。
【請求項２】
前記第１のエッチングマスク（４）の形成は、
追加のマスキング層（９）と、追加のエッチングマスク（１０）と、により覆われた前記第１の材料（２）の層が設けられた基板（１）を供給するステップと、
前記追加のマスキング層（９）をエッチングし、前記第１のエッチングマスク（４）を形成するステップと、
前記追加のエッチングマスク（１０）を除去するステップと、
を備えることを特徴とする請求項１に記載の方法。
【請求項３】
第３のエッチングマスク（８）を定義する突出パターンの周囲に前記横スペーサが形成される前に、前記第２のエッチングマスク（６）は除去される、ことを特徴とする請求項１または請求項２に記載の方法。
【請求項４】
前記カバリング層（３）は前記第１のエッチングマスク（４）を完全に覆う、ことを特徴とする請求項１から請求項３のいずれかに記載の方法。